(57)【要約】      （修正有）【課題】  略Ｕ字形のフォルダ１１を反射板２へ、止めねじを使用せずに簡単に装着係合することができる、安価なランプ揺動防止形の蛍光灯器具を得る。【解決手段】  蛍光ランプの略中央部を抑え、揺れを阻止する略Ｕ字形のフォルダ１１を備える。  反射板２にフォルダ１１の１個につき一対の嵌合穴６と係止穴７を形成する。フォルダ１１の各自由端側に前記蛍光ランプ５の途中部を両側から弾発的に挟持する一対のランプ保持部１２を形成する。略Ｕ字形のフォルダ１１の基部の中央に反射板２側に迫り出す弾力性を有する係止爪９を形成する。  フォルダ１１を反射板２に押し当てたときに各嵌合爪８が各嵌合穴６に入り、フォルダ１１を反射板２の板面に沿ってスライドさせたときに各嵌合爪８が各嵌合穴６に嵌合しかつ係止爪９が係止穴７に弾発的に係合するように、嵌合穴６および係止穴７の配置と形状を定める。【選択図】図５
2007123218.tif 000002
【特許請求の範囲】
【請求項１】
一面開放形の箱形の器具本体（１）を備え、前記器具本体（１）の開放面側に配置される笠形断面の反射板（２）を備え、前記器具本体（１）に前記反射板（２）を着脱自在にねじ止めする化粧ねじ（４）を備え、前記反射板（２）に沿って着脱自在に装着される長尺な蛍光ランプ（５）を備え、前記蛍光ランプ（５）の略中央部を抑え該蛍光ランプ（５）の揺れを阻止する略Ｕ字形のフォルダ（１１）を備え、
前記反射板（２）に前記フォルダ（１１）の１個につき一対の嵌合穴（６）を形成し、前記反射板（２）における一対の前記嵌合穴（６）の間に係止穴（７）を形成し、前記フォルダ（１１）の各自由端側に前記蛍光ランプ（５）の途中部を両側から弾発的に挟持する一対のランプ保持部（１２）を形成し、略Ｕ字形を呈する前記フォルダ（１１）の基部の中央に係止爪（９）を形成し、前記係止爪（９）は前記反射板（２）側に迫り出す弾力性を有する爪であり、前記基部の両側に嵌合爪（８）を形成し、
前記フォルダ（１１）を反射板（２）に押し当てたときに前記各嵌合爪（８）が前記各嵌合穴（６）に入りその状況下で前記フォルダ（１１）を前記反射板（２）の板面に沿ってスライドさせたときに前記各嵌合爪（８）が前記各嵌合穴（６）に嵌合しかつ前記係止爪（９）が前記係止穴（７）に弾発的に係合するように、前記嵌合穴（６）および係止穴（７）の配置と形状を定めたことを特徴とする蛍光灯器具。
【発明の詳細な説明】
【発明の詳細な説明】
【技術分野】
【０００１】  本発明は蛍光ランプ途中の揺れを抑える略Ｕ字形のフォルダを備えた蛍光灯器具に関するものである。特に前記フォルダの反射板に対する取付け構造に関するものである。
【背景技術】
【０００２】  従来器具は、フォルダ１０基部を止めねじ１４を用いて、反射板２の受穴１３にねじ止めする構造である。これだと、フォルダ１０基部を止める止めねじ１４を必要とし、またフォルダ１０取付けの作業性もよくない。
【発明が解決しようとする課題】
【０００３】  本発明の目的は、フォルダを止めねじを使わずに、簡単に反射板に取付けることのができる蛍光灯器具を提供するものである。
【課題を解決するための手段】
【０００４】  本発明に係る蛍光灯器具においては、一面開放形の箱形の器具本体を備える。前記器具本体の開放面側に配置される笠形断面の反射板を備える。前記器具本体に前記反射板を着脱自在にねじ止めする化粧ねじを備える。前記反射板に沿って着脱自在に装着される長尺な蛍光ランプを備える。前記蛍光ランプの略中央部を抑え該蛍光ランプの揺れを阻止する略Ｕ字形のフォルダを備える。
前記反射板に前記フォルダの１個につき一対の嵌合穴を形成する。前記反射板における一対の前記嵌合穴の間に係止穴を形成する。前記フォルダの各自由端側に前記蛍光ランプの途中部を両側から弾発的に挟持する一対のランプ保持部を形成する。略Ｕ字形を呈する前記フォルダの基部の中央に係止爪を形成する。前記係止爪は前記反射板側に迫り出す弾力性を有する爪である。前記基部の両側に嵌合爪を形成する。
前記フォルダを反射板に押し当てたときに前記各嵌合爪が前記各嵌合穴に入りその状況下で前記フォルダを前記反射板の板面に沿ってスライドさせたときに前記各嵌合爪が前記各嵌合穴に嵌合しかつ前記係止爪が前記係止穴に弾発的に係合するように、前記嵌合穴および係止穴の配置と形状を定める。
【発明の効果】
【０００５】  本発明によれば、略Ｕ字形のフォルダを反射板へ、止めねじを使用せずに簡単に装着係合することができる。このため、安価なランプ揺動防止形蛍光灯器具が得られる。
【発明を実施するための最良の形態】
【０００６】  本発明の実施形態を、図１〜図５を用いて説明する。本発明に係る蛍光灯器具は、一面開放形の箱形の器具本体１を備える。前記器具本体１の開放面側に配置される笠形断面の反射板２を備える。前記器具本体１に前記反射板２を着脱自在にねじ止めする化粧ねじ４を備える。前記反射板２に沿って着脱自在に装着される長尺な蛍光ランプ５を備える。前記蛍光ランプ５の略中央部を抑え該蛍光ランプ５の揺れを阻止する略Ｕ字形のフォルダ１１を備える。
前記反射板２に前記フォルダ１１の１個につき一対の嵌合穴６を形成する。前記反射板２における一対の前記嵌合穴６の間に係止穴７を形成する。前記フォルダ１１の各自由端側に前記蛍光ランプ５の途中部を両側から弾発的に挟持する一対のランプ保持部１２を形成する。略Ｕ字形を呈する前記フォルダ１１の基部の中央に係止爪９を形成する。前記係止爪９は前記反射板２側に迫り出す弾力性を有する爪である。前記基部の両側に嵌合爪８を形成する。
前記フォルダ１１を反射板２に押し当てたときに前記各嵌合爪８が前記各嵌合穴６に入りその状況下で前記フォルダ１１を前記反射板２の板面に沿ってスライドさせたときに前記各嵌合爪８が前記各嵌合穴６に嵌合しかつ前記係止爪９が前記係止穴７に弾発的に係合するように、前記嵌合穴６および係止穴７の配置と形状を定める。【０００７】  図５のＡのように、フォルダ１１を反射板２の表面側より一対の嵌合穴６付近に押し当て、フォルダ１１の各嵌合爪８を各嵌合穴６に挿入する。各嵌合爪８は反射板２の板厚をわずかに超える程度に各嵌合爪８に入る。この状況下では反射板２の係止穴７は掛止爪９が入らないような位置にずれている。係止爪９は係止穴７近傍の図５イ部の位置に当たり、係止爪９はその弾性に抗して押し戻される。この状況下で図５のＢ方向にフォルダ１１をスライドさせる。これにより、各嵌合爪８は各嵌合穴６の細幅スリット部に移動するため、各嵌合爪８は前記Ａの逆方向に外れなくなり、係止される。このとき、前記係止爪９は前記係止穴７に位置し、該係止爪９がその弾力性により押し戻され、該掛止爪９の先端が前記係止穴７に入り、係合する。この結果、前記フォルダ１１は前記Ｂと逆方向に移動することができなくなり、前記反射板２における所要の位置に安定的に固定される。
前記蛍光ランプ６の途中部は前記フォルダのにおける前記ランプ支持部１２で弾発的に挟持され、前記蛍光ランプ６の不所望な揺動が阻止される。このため、本発明は揺動が問題となる、たとえば１１０Ｗ・８６Ｗのような長尺な蛍光ランプ６を含む蛍光灯器具に特に好適である。
【図面の簡単な説明】
【０００８】
【図１】本発明器具の斜視図
【図２】同器具のフォルダの拡大斜視図
【図３】同器具の反射板の要部拡大斜視図
【図４】図２のフォルダの断面図
【図５】同器具の要部を示す分解斜視図
【図６】従来器具の要部を示す分解斜視図
【符号の説明】
【０００９】１：器具本体
２：反射板
３：ランプソケット
４：化粧ねじ
５：蛍光ランプ
６：嵌合穴
７：係止穴
８：嵌合爪
９：係止爪
１０：底部
１１：フォルダ
１２：ランプ支持部
１３：ねじ穴
１４：止めねじ
【図１】
2007123218.tif 000003
【図２】
2007123218.tif 000004
【図３】
2007123218.tif 000005
【図４】
2007123218.tif 000006
【図５】
2007123218.tif 000007
【図６】
2007123218.tif 000008